(57)【要約】【課題】画像の上下方向を自動的に判別して、横画像でも縦画像でも常に適正な方向に表示できるようにする。【解決手段】画像内に含まれる青色や白色に基づいて空の部分を判別する。そして、空の部分が画像の上半分に所定割合以上あるときは、画像をそのまま表示するが、空の部分が画像の左右の片側半分に所定割合以上あるときは、青色や白色が所定割合以上ある側が上側になるように、画像を回転させて表示部に表示する。さらに、天候情報を加味して、曇りの時に撮像したものは、白色と灰色に基づいて空の部分を判別したり、時刻情報を加味して、早朝や夕刻に撮像したものは、オレンジ色に基づいて空の部分を判別したりするようにしてもよい。【選択図】図５
2010197711.tif 000002
【特許請求の範囲】
【請求項１】
画像データを表示する表示手段と、
画像内に含まれる特定の色を判別する色判別手段と、
該色判別手段により画像中の空の部分を判別し、空の部分が画像の左右の片側半分に所定割合以上あることが判別されたとき、空の部分が所定割合以上ある側を上側にして画像を前記表示手段に表示する表示制御手段と、を備えたことを特徴とする画像表示装置。
【請求項２】
青色により空の部分を判別することを特徴とする請求項１に記載の画像表示装置。
【請求項３】
青色と白色により空の部分を判別することを特徴とする請求項１に記載の画像表示装置。
【請求項４】
画像データに付加された天候情報を読み取る天候情報読取手段を備え、該天候情報読取手段で読み取った天候情報を加味して、空の部分を判別することを特徴とする請求項１に記載の画像表示装置。
【請求項５】
天候情報が晴れであるとき、青色と白色により空の部分を判別し、天候情報が曇りであるとき、白色と灰色により空の部分を判別し、天候情報が雨であるとき、黒色と灰色により空の部分を判別することを特徴とする請求項４に記載の画像表示装置。
【請求項６】
画像データに付加された時刻情報を読み取る時刻情報読取手段を備え、該時刻情報読取手段で読み取った時刻情報を加味して、空の部分を判別することを特徴とする請求項１又は４に記載の画像表示装置。
【請求項７】
時刻情報が日中の時刻であるとき、青色と白色により空の部分を判別し、時刻情報が早朝又は夕刻の時刻であるとき、オレンジ色により空の部分を判別し、時刻情報が晩の時刻であるとき、黒色により空の部分を判別することを特徴とする請求項６に記載の画像表示装置。
【請求項８】
画像データを表示する表示手段と、
画像内に含まれる特定の色を判別する色判別手段と、
画像データに付加された天候情報を読み取る天候情報読取手段と、
該天候情報読取手段で読み取った天候情報が雪であるとき、色判別手段により画像中の白色部分を判別し、白色部分が所定割合以上ある側を下側にして画像を前記表示手段に表示する表示制御手段と、を備えたことを特徴とする画像表示装置。
【発明の詳細な説明】
【技術分野】
【０００１】
本発明は、デジタルカメラ等で撮影したデジタル静止画像データを表示する画像表示装置に関するものであり、特に、撮影した画像データに撮影の向き（縦向きまたは横向き）を示す情報が記憶されていない場合であっても、空を含む風景画像であれば、適切な向きで表示することができるようにした画像表示装置に関するものである。
【背景技術】
【０００２】
近年、デジタルカメラや携帯電話で撮影したデジタル静止画像をメモリカードなどから取り込んで写真立てのように表示させたり、スライドショー機能により複数画像を切り替えて表示させたりすることによって、手軽にデジタル写真を日常的に楽しむことができるデジタルフォトフレームが普及し始めている。
【０００３】
このようなデジタルフォトフレームに関する従来例としては、例えば、下記の特許文献１（特開２００６−６５０３１号公報）に記載されている。この特許文献１に記載されている画像表示フレームは、操作部を裏蓋背面に、メモリカードスロットルを裏蓋の側面（厚み部分）に備え、操作部は、電源ボタン、切り替えボタンと、操作キーなどが裏蓋の裏面に配置されている。操作部を裏蓋に設けることにより、裏蓋内部に画像処理部、内部メモリ、リジッド基板、フレキシブル基板等が収められるため、フレームは細く、均一な太さにすることができるように構成されている。
【０００４】
ところで、カメラ本体を横向きにして撮影すると写真は横画像となり、カメラを縦向きにして撮影すると縦画像となるが、それらの写真画像をデジタルフォトフレームに表示する場合、横画像はそのまま表示できるが、縦画像は、そのまま表示すると画像が９０度横転した形で表示されてしまう。
【０００５】
そのため、縦画像を表示する際には、画像の上側が画面の上になるように、画像を９０度回転させて表示する必要がある。その場合、手動操作で画像を９０度回転させればよいが、いちいち手動操作を行うのは手間がかかる。
【０００６】
そこで、デジタルカメラの分野では、例えば、特許文献２（特開２００５−３４１０８７号公報）に示されるように、撮像装置に撮像姿勢が縦撮り姿勢であることを検出する姿勢検出手段と、縦撮り姿勢で撮像されたことを示す縦撮情報を記録する手段とを設け、画像を再生する際、前記縦撮情報に基づいて縦撮りされた画像であるか否かを判定し、判定結果に応じて画像を９０度回転させて表示部に表示させる技術が開発されている。
【０００７】
しかしながら、そのような方法では、カメラ本体に姿勢検出手段を組み込むための実装スペースを必要とするため、機器が大型化し、また、部品点数の増加に伴いコスト高になるなどの問題がある。
【０００８】
そこで、カメラ本体に姿勢検出手段を組み込むことなく、撮影画像の向きに応じた適切な処理を行うことができる技術も提案されている。例えば、特許文献３（特開２００６−１８６９３０号公報）には、撮影画像が含まれる文字を複数の異なる方向から認識し、その認識結果に基づいて当該撮影画像の向きを判別するようにした撮像装置が提案されている。
【０００９】
そのようにすれば、撮影画像を表示する際に、ユーザ自身が撮影画像の向きに応じて当該撮影画像を回転させるなどの面倒な操作を必要とせずに適切に処理することができ、しかも、カメラ本体に姿勢検出手段を必要としない。
【先行技術文献】
【特許文献】
【００１０】
【特許文献１】特開２００６−６５０３１号公報
【特許文献２】特開２００９−１０７７７号公報
【特許文献３】特開２００８−３００９８６号公報
【発明の概要】
【発明が解決しようとする課題】
【００１１】
上記特許文献１に開示されたようなデジタルフォトフレームを用いれば、コンピュータがなくても、デジタルカメラや携帯電話で撮影した画像を表示して楽しむことができる。しかしながら、このようなデジタルフォトフレームは、単に、画像データを取り込んで表示手段に表示させるだけのシンプルなものであり、デジタルカメラやコンピュータのような画像処理機能を有していない。
【００１２】
そこで、上記特許文献２や特許文献３に開示されたようなデジタルカメラを用いて撮影した画像データをデジタルフォトフレームに保存し、表示させる場合、画像が縦向きで撮影された画像か、横向きで撮影されたものかを判別して表示する必要が生じる。画像を撮影したデジタルカメラが特許文献２に開示されたものであれば、デジタルカメラが姿勢検出手段を有するから、画像データには縦撮り姿勢で撮像されたことを示す縦撮情報を記録することができるから、デジタルフォトフレームにおいては、この情報に基づいて、適切な向きで画像を表示することができる。
【００１３】
しかしながら、特許文献３に示されるように姿勢検出手段を持たず、撮影画像に含まれる文字により撮影画像の向きを判別するようなデジタルカメラを用いて撮影した画像データには、撮影画像に文字が含まれている場合は画像データに撮影の向きを示す情報を記録することができるが、撮影画像に文字が含まれていない場合には撮影の向きを示す情報が記録できず、デジタルフォトフレームに画像データ取り込んで表示する場合に、画像データが縦向きか横向きかを判別できないという問題点があった。
【００１４】
本発明は、そのような問題点に鑑み、画像データに撮影時の姿勢を示す情報が記録されていない場合、また、画像データに文字が含まれていない場合でも、画像の上下方向（縦向きが撮影されたものか横向きで撮影されたものかを自動的に判別して、縦画像を９０度回転させて適正に表示できるようにすることを目的とするものである。
【課題を解決するための手段】
【００１５】
前記課題を解決するために、本願の請求項１にかかる発明は、画像データを表示する表示手段と、画像内に含まれる特定の色を判別する色判別手段と、該色判別手段により画像中の空の部分を判別し、空の部分が画像の左右の片側半分に所定割合以上あることが判別されたとき、空の部分が所定割合以上ある側を上側にして画像を前記表示手段に表示する表示制御手段とを備えたことを特徴とする。
【００１６】
また、本願の請求項２にかかる発明は、請求項１にかかる発明において、青色により空の部分を判別することを特徴とする。
【００１７】
また、本願の請求項３にかかる発明は、請求項１にかかる発明において、青色と白色により空の部分を判別することを特徴とする。
【００１８】
また、本願の請求項４にかかる発明は、請求項１にかかる発明において、画像データに付加された天候情報を読み取る天候情報読取手段を備え、該天候情報読取手段で読み取った天候情報を加味して、空の部分を判別することを特徴とする。
【００１９】
また、本願の請求項５にかかる発明は、請求項４にかかる発明において、天候情報が晴れであるとき、青色と白色により空の部分を判別し、天候情報が曇りであるとき、白色と灰色により空の部分を判別し、天候情報が雨であるとき、黒色と灰色により空の部分を判別することを特徴とする。
【００２０】
また、本願の請求項６にかかる発明は、請求項１又は４にかかる発明において、画像データに付加された時刻情報を読み取る時刻情報読取手段を備え、該時刻情報読取手段で読み取った時刻情報を加味して、空の部分を判別することを特徴とする。
【００２１】
また、本願の請求項７にかかる発明は、請求項６にかかる発明において、時刻情報が日中の時刻であるとき、青色と白色により空の部分を判別し、時刻情報が早朝又は夕刻の時刻であるとき、オレンジ色により空の部分を判別し、時刻情報が晩の時刻であるとき、黒色により空の部分を判別することを特徴とする。
【００２２】
また、本願の請求項８にかかる発明は、画像データを表示する表示手段と、画像内に含まれる特定の色を判別する色判別手段と、画像データに付加された天候情報を読み取る天候情報読取手段と、該天候情報読取手段で読み取った天候情報が雪であるとき、色判別手段により画像中の白色部分を判別し、白色部分が所定割合以上ある側を下側にして画像を前記表示手段に表示する表示制御手段とを備えたことを特徴とする。
【発明の効果】
【００２３】
本発明の画像表示装置は、次のような効果を奏する。すなわち、請求項１にかかる発明においては、色判別手段により画像中の空の部分を判別し、空の部分が画像の左右の片側半分に所定割合以上あることが判別されたとき、空の部分が所定割合以上ある側を上側にして画像を表示するようにしたので、空を含む風景画像であれば、空の部分の位置に基づいて画像の上方向を自動的に判別し、縦画像を９０度回転させて適正に表示できるようになる。
【００２４】
また、請求項２にかかる発明においては、請求項１にかかる画像表示装置において、青色により空の部分を判別するようにしたので、青空を含む風景画像であれば、画像の上方向を自動的に判別し、縦画像を適正に表示できるようになる。
【００２５】
また、請求項３にかかる発明においては、請求項１にかかる画像表示装置において、青色と白色により空の部分を判別するようにしたので、青空の中に雲があっても画像の上方向を自動的に判別し、縦画像を適正に表示できるようになる。
【００２６】
また、請求項４にかかる発明においては、請求項１にかかる画像表示装置において、天候情報読取手段で読み取った天候情報を加味して、空の部分を判別するようにしたので、その画像を撮像したときの天候状態に応じて、適正に空の部分を判別し、縦画像を適正に表示できるようになる。
【００２７】
また、請求項５にかかる発明は、請求項４にかかる画像表示装置において、天候情報が晴れであるとき、青色と白色により空の部分を判別し、天候情報が曇りであるとき、白色と灰色により空の部分を判別し、天候情報が雨であるとき、黒色と灰色により空の部分を判別するようにしたので、その画像を撮像したときの天候状態に応じた空の色に基づいて空の部分を判別し、縦画像を適正に表示できるようになる。
【００２８】
また、請求項６にかかる発明は、請求項１又は４にかかる画像表示装置において、画像データに付加された時刻情報を加味して、空の部分を判別するようにしたので、その画像を撮像したときの時刻に応じて、適正に空の部分を判別し、縦画像を適正に表示できるようになる。
【００２９】
また、請求項７にかかる発明は、請求項６にかかる画像表示装置において、時刻情報が日中の時刻であるとき、青色と白色により空の部分を判別し、時刻情報が早朝又は夕刻の時刻であるとき、オレンジ色により空の部分を判別し、時刻情報が晩の時刻であるとき、黒色により空の部分を判別するようにしたので、その画像を撮像したときの時刻に応じた空の色に基づいて空の部分を判別し、縦画像を適正に表示できるようになる。
【００３０】
また、請求項８にかかる発明は、画像データに付加された天候情報が雪であるとき、色判別手段により画像中の白色部分を判別し、白色部分が所定割合以上ある側を下側にして画像を表示するようにしたので、その画像を撮像したとき天候が雪であっても、地面等に積もった雪の白により下方向を判別し、縦画像を適正に表示できるようになる。
【図面の簡単な説明】
【００３１】
【図１】本発明の実施例に係るデジタルフォトフレームの一例を示す斜視図である。
【図２】本発明の実施例に係るデジタルフォトフレームの構成を示すブロック図である。
【図３】画像表示装置に読み込んだ画像の一例を示す図である。
【図４】図３（B）の画像を９０度回転させて表示部に表示した状態を示す図である。
【図５】本発明の表示処理を示すフローチャートである。
【発明を実施するための形態】
【００３２】
以下、本発明の具体例を実施例及び図面を用いて詳細に説明する。但し、以下に示す実施例は、本発明の技術思想を具体化するためのデジタルフォトフレームを例示するものであって、本発明をこのデジタルフォトフレームに特定することを意図するものではなく、特許請求の範囲に含まれるその他の実施形態の画像表示装置にも等しく適用し得るものである。
【実施例】
【００３３】
（１）実施例１  図１は、本発明の実施例に係るデジタルフォトフレームの一例を示す斜視図、図２は、本発明の実施例に係るデジタルフォトフレームの構成を示すブロック図である。
【００３４】
本実施例に係るデジタルフォトフレーム１０は、図１で示すように、矩形で扁平状の筐体の前面に設けられた表示部１１と、筐体の背面中央に設けられたスタンド２０とからなる。そして、筐体前面の下隅には、電源スイッチ２１が設けられている。
【００３５】
デジタルフォトフレーム１０は、図２に示すように、表示部１１、操作部１２、内蔵メモリ１３、外部メモリインターフェース１４、フォトセンサー１５、電源制御部１６、データ通信モジュール１７、音声出力部１８、制御部１９などを備えて構成されている。なお、表示部１１は本発明の表示手段に相当し、制御部１９は本発明の色判別手段、天候情報読取手段、時刻情報読取手段及び表示制御手段の機能を持つ。
【００３６】
表示部１１は、デジタルフォトフレーム１０の前面側に設けられた液晶ディスプレイから構成されるＬＣＤモジュール１１−１と、その裏面に設けられたＬＥＤ１１−２およびＬＥＤバックライトコントローラ１１−３とから構成され、制御部１９の制御により、メモリカードなどから読み出したデジタル画像データ（例えば、ＪＰＥＧファイル）がＬＣＤモジュール１１−１に再生表示される他、本発明では、後述するように、制御部１９によってＬＥＤバックライトコントローラ１１−３を制御することにより、操作部１２の操作ボタンに対応するボタン配置のイメージがＬＥＤ１１−２によって重畳表示される。
【００３７】
操作部１２は、デジタルフォトフレーム１０の背面側に設けられた複数の操作ボタン１２−１と、これらの操作ボタンにユーザが接触したことを検知するためのセンサ１２−２と、から構成される。ここで、ユーザがこれらの操作ボタンに接触したことを検知するためのセンサには、例えば、静電容量式あるいは感圧式のタッチセンサなどを用いることができる。
【００３８】
また、複数の操作ボタンは、表示部１１にメニュー画面を表示させるためのメニューボタン、スライドショー再生を止めるための画面消去ボタン、通常のスライドショー再生に戻すための戻るボタン、設定項目を選んだり画像データを切り換えるために次の画像データを再生したりするための次へボタン、設定項目を選んだり１つ前の画像データを再生したりするための前へボタン、設定項目を選んだり画像データを回転させたりするための回転ボタン、設定項目を選んだり表示部１１の明るさを調節したりするための明るさボタン、スライドショー再生を一時停止させたり選択した設定を確定させたりするための決定ボタンなどから構成されている。
【００３９】
内蔵メモリ１３は、後述する制御部１９がプログラム実行中に一時的に保持する必要の生じたデータが保存されるワーク用メモリであるＳＤＲＡＭ１３−１や、メモリカードなどから読み出された音楽データ（例えば、ＭＰ３形式の音楽ファイル）が保存されるユーザ領域などからなるＮＡＮＤ型フラッシュメモリ１３−２などから構成されている。音楽データは、後述するように、ＳＤメモリカードなどの可搬型記憶媒体からコピーすることによって得てもよいし、ＷＬＡＮを介して所定のサーバからダウンロードすることによって得てもよい。
【００４０】
外部メモリインターフェース１４は、ＳＤメモリカードやメモリースティックを差し込むためのスロット２４を備え、差し込まれたメモリカードの読み書きを行うＳＤアダプタ１４−１、差し込まれたメモリースティックの読み書きを行うＭＳアダプタ１４−２や、ＵＳＢメモリを差し込むためのポート２５を備えたＵＳＢコネクタ１４−３などから構成されている。
【００４１】
フォトセンサー１５は、表示部１１の輝度や明るさを自動調節するために周囲の明るさを検知するためのものであり、検知された制御信号は制御部１９へ出力される。このフォトセンサー１５は、デジタルフォトフレーム１０の前面側に設けることがより望ましい。
【００４２】
電源制御部１６は、デジタルフォトフレーム１０内の各部に対して電力の供給を行う。供給される電力は、電源アダプタを介して外部電源から得るようにしてもよく、あるいはデジタルフォトフレーム１０内に設けた充電地（図示せず）などから得るようにしてもよい。
【００４３】
データ通信モジュール１７は、無線通信でデータの送受信を行うＷＬＡＮモジュール１７−１や、赤外線を利用して近距離データ通信を行うＳＩＲ（Ｓｅｒｉａｌ  ＩｒＤＡ）モジュール１７−２などから構成されている。音声出力部１８は、メモリカードなどから読み出された音楽データを再生して出力するために、Ｄ／Ａコンバータ（ＤＡＣ）、アンプ、スピーカーなどから構成されている。
【００４４】
制御部１９は、マイクロプロセッサを主たる構成要素とし、一般的なコンピュータ装置と同様に各種クロックパルスを生成して、ＮＡＮＤ型フラッシュメモリ１３−２に格納されている制御プログラムに基づき各部動作を制御する。また、ＳＤＲＡＭ１３−１には、プログラム実行中に一時的に保持する必要の生じたデータを保存する。
【００４５】
また、制御部１９は、操作部１２からの操作入力に応じて、スロット（図示せず）に差し込まれたＳＤメモリカードやメモリースティックに画像データとして記録されているＪＰＥＧ形式の画像ファイル（ＪＰＥＧファイル）をＮＡＮＤ型フラッシュメモリ１３−２のユーザ領域へコピーして保存したり、ＳＤメモリカードなどの画像データやＮＡＮＤ型フラッシュメモリ１３−２に保存されている画像データを表示部１１にスライドショー再生させたりする。
【００４６】
さらに、制御部１９は、操作部１２からの操作入力に応じてスロットに差し込まれたＳＤメモリカードやメモリースティックに音楽データとして記録されているＭＰ３形式の音楽ファイル（ＭＰ３ファイル）をＮＡＮＤ型フラッシュメモリ１３−２のユーザ領域へコピーして保存したり、ＳＤメモリカードなどの音楽データやＮＡＮＤ型フラッシュメモリ１３−２に保存されている音楽データを再生させて音声出力部１８から出力させたりする。
【００４７】
このようなデジタルフォトフレーム１０において、本発明では、スロットに差し込まれたＳＤメモリカードやメモリースティック等から画像データを読み込んで、画像を表示する際に、画像データ内に含まれる色に基づいて空の部分を判別し、空の部分が画像の左右片側半分に所定割合以上あることが判別されたとき、空の部分が所定割合以上ある側を上側にして画像を表示部１１に表示するようにした。
【００４８】
例えば、図３（A），(B)に示されるような画像データを読み込んだとき、空が画像のどの部分にあるかを検索する。そして、図３（A）の画像のように、空が画像の上半分に所定割合以上（例えば、７０％以上）存在するときは、表示部１１にそのまま表示する。一方、図３（B）の画像のように、左右の片側半分に所定割合以上ときは、空が所定割合以上ある側が上側になるように回転処理を施してから表示部１１に、図４に示すように表示する。
【００４９】
その際この実施例では、空の部分の判別は、画像を形成する各画素の色情報に基づいて、青空の青色を検索することにより行う。しかし、雲がある場合を考慮して、青色と白色の合計が所定割合以上あるか否かで、空の部分を判別するようにしてもよい。
【００５０】
次に、図５のフローチャートを参照しながら、本実施例の表示処理を説明する。先ず、１枚分の画像データを読み込む（ステップＳ１）。そして、読み込んだ画像中の青色部分を検索し（ステップＳ２）、所定割合以上の青色部分が検出されたか否かを判別する（ステップＳ３）。
【００５１】
ステップＳ３で、所定割合以上の青色部分が検出されたら、画像の上半分に所定割合以上存在するか否かを判別し（ステップＳ４）、画像の上半分に所定割合以上存在したら、そのまま回転させないで表示部１１に表示する（ステップＳ５）。また、画像の上半分ではなく、左右の片側半分に青色部分が所定割合以上存在したら、青色部分が上になるように画像を９０度回転させて、表示部１１に表示する（ステップＳ６）。
一方、ステップＳ３で、所定割合以上の青色部分が検出されなかったら、空が検知できず、画像の上下が分からないため、とりあえずそのまま回転させないで表示部１１に表示する（ステップＳ７）。ユーザはそれを見て、画像が横転して表示されていれば、デジタルフォトフレーム１０に備えられている画像回転ボタンを操作する。デジタルフォトフレーム１０の制御部１９は、画像回転ボタンが操作されたか否かを判別し（ステップＳ８）、画像回転ボタンが操作されたら、画像を９０度回転させて、表示部１１に表示する（ステップＳ９）。
【００５２】
ステップＳ５，ステップＳ６，ステップＳ９で画像が表示されたら、次の画像表示のための切り換えが指令されたか否かを判別し（ステップＳ１０）、切り換えが指令されたら、ステップＳ１に戻って次の画像データを読み込んで、同様な処理を繰り返す。
（２）実施例２  この実施例では、撮影時の天候情報を画像データに付加して記録しておき、画像再生時には、その画像に付加されている天候情報を加味して、画像の上下方向を判定するようにした。天候情報は、カメラで撮影する際にユーザが手動で天候を入力するか、カメラに設けられた照度センサからの光の強さと、時刻とに基づいて、例えば、照度が大きくて昼時であったら晴れというように、天候を判定して保持する。
【００５３】
そして、天候情報が「晴れ」であれば、実施例１と同様に、画像中の青色部分に基づいて画像の上下方向を判定する。また、天候情報が「曇り」であれば、白色と灰色の合計が片側半分に所定割合以上存在する方が上であると判定する。また、天候情報が「雨」であれば、黒色と灰色の合計が片側半分に所定割合以上存在する方が上であると判定する。さらに、天候情報が「雪」であれば、白色が片側半分に所定割合以上存在する方が下であると判定する。
（３）実施例３  この実施例では、撮影時の時刻情報を画像データに付加して記録しておき、画像再生時には、その画像に付加されている時刻情報を加味して、画像の上下方向を判定するようにした。時刻情報は、通常のデジタルカメラでは、写真毎に撮影日時が記録されるため、それを利用することができる。
【００５４】
そして、時刻が早朝や夕刻であれば、朝焼けや夕焼けの色であるオレンジ系の色が片側半分に所定割合以上存在する方が上であると判定する。また、時刻が日中であれば、青色や白色の合計が片側半分に所定割合以上存在する方が上であると判定する。さらに、時刻が晩であれば、黒色が片側半分に所定割合以上存在する方が上であると判定する。
【００５５】
以上説明したように、本発明にかかる画像表示装置によれば、画像が空を含む風景画像であれば、空の部分の位置に基づいて画像の上方向を自動的に判別し、縦画像を９０度回転させて適正に表示できるようになる。
【符号の説明】
【００５６】
１０・・・・デジタルフォトフレーム
１１・・・・表示部
１１−１・・・・ＬＣＤモジュール
１１−２・・・・ＬＥＤ
１１−３・・・・ＬＥＤバックライトコントローラ
１２・・・・操作部
１２−１・・・・操作ボタン
１２−２・・・・センサ
１３・・・・内蔵メモリ
１３−１・・・・ＳＤＲＡＭ
１３−２・・・・ＮＡＮＤ型フラッシュメモリ
１４・・・・外部メモリインターフェース
１４−１・・・・ＳＤアダプタ
１４−２・・・・ＭＳアダプタ
１４−３・・・・ＵＳＢコネクタ
１５・・・・フォトセンサー
１６・・・・電源制御部
１７・・・・データ通信モジュール
１７−１・・・・ＷＬＡＮモジュール
１７−２・・・・ＳＩＲモジュール
１８・・・・音声出力部
１９・・・・制御部
【図１】
2010197711.tif 000003
【図２】
2010197711.tif 000004
【図３】
2010197711.tif 000005
【図４】
2010197711.tif 000006
【図５】
2010197711.tif 000007